(57)【要約】【課題】単一のケース構成であっても複数の切断ブレードを収容することができる。【解決手段】ブレードケース１は、切断ブレード７を収容する凹部９を有する収容部材６を複数備え、複数の収容部材６は、ひとつの収容部材６（６ａ）の凹部９における上部９ａと他の収容部材６（６ｂ）の凹部９における下部９ｂとの間に切断ブレード７を挟持して積層される。【選択図】図１
2018024434.tif 000002
【特許請求の範囲】
【請求項１】
ブレードケースであって、
切断ブレードを収容する凹部を有する収容部材を複数備え、
複数の前記収容部材は、ひとつの前記収容部材の凹部における上部と他の前記収容部材の凹部における下部との間に前記切断ブレードを挟持して積層される、ブレードケース。
【請求項２】
前記収容部材の少なくとも１つに識別部を備える、請求項１に記載のブレードケース。
【請求項３】
前記切断ブレードを収容しない前記収容部材を最上段に配置し、前記最上段よりも１つ下段に収容する切断ブレードを挟持する、請求項１又は請求項２に記載のブレードケース。
【請求項４】
前記収容部材を支持する基台と、
前記基台中央部に垂直方向に延びる柱部材とを備える、請求項１から請求項３のいずれか１項に記載のブレードケース。
【請求項５】
前記柱部材に沿って昇降し、着脱可能な固定部を備える、請求項４に記載のブレードケース。
【請求項６】
前記収容部材を梱包し、前記基台に係合するカバー部を備える、請求項４又は請求項５に記載のブレードケース。
【請求項７】
前記収容部材の凹部以外に形成される凹凸形状の嵌め合わせ部を備える、請求項１から請求項３のいずれか１項に記載のブレードケース。
【請求項８】
前記収容部材中央部に突起部を備える、請求項７に記載のブレードケース。
【発明の詳細な説明】
【技術分野】
【０００１】
本発明は、切断ブレードなどを収容するためのブレードケースに関するものである。
【背景技術】
【０００２】
従来から、切断装置を使用して半導体ウェーハや樹脂封止された封止済基板などを切断している。それらの切断には切断ブレードが使用される。切断ブレードは消耗品であり、切断ブレードが磨耗した場合又は切断ブレードが破損した場合には切断ブレードを交換する。したがって、交換用の切断ブレードを常に準備しておく必要がある。切断ブレードは刃先が非常に薄く破損しやすいので、１枚毎に切断ブレード専用のブレードケースに収容されて保管される（特許文献１参照）。
【先行技術文献】
【特許文献】
【０００３】
【特許文献１】特開２００８−２８００７３号公報
【発明の概要】
【発明が解決しようとする課題】
【０００４】
しかしながら、特許文献１に開示されたブレードケースには次のような課題がある。特許文献１の図１に示されるブレードケース１は、切削ブレードを収容する開口部２０を有する収容体２と、開口部２０を閉塞及び開放する蓋体３と、収容体２と蓋体３とを開閉自在に連結する連結部４と、開口部２０が閉塞された閉状態と開口部２０が開放された開状態とを切り替えるためのストッパ部５とを含み、収容体２には切削ブレードの回転軸挿入孔に遊嵌する凸部２３が形成され、凸部２３の頂部には係止孔２３０が形成され、蓋体３には、係止孔２３０に係止される爪部３２１と爪部３２１を蓋体３から分離可能に連結する破断連結部３２０とから構成される。したがって、１枚の切削ブレードを収容するブレードケース自体の構成が複雑である。さらに、ひとつのブレードケース毎に１枚の切削ブレードを収容した状態でブレードケースを複数積層させる構成としている。
【０００５】
本発明は上記の課題を解決するもので、単一のケース構成であっても複数の切断ブレードを収容することができるブレードケースを提供することを目的とする。
【課題を解決するための手段】
【０００６】
上記の課題を解決するために、本発明に係るブレードケースは、切断ブレードを収容する凹部を有する収容部材を複数備え、複数の収容部材は、ひとつの収容部材の凹部における上部と他の収容部材の凹部における下部との間に切断ブレードを挟持して積層される。
【発明の効果】
【０００７】
本発明によれば、単一のケース構成であっても複数の切断ブレードを収容することができる。
【図面の簡単な説明】
【０００８】
【図１】（ａ）〜（ｂ）は、実施形態１において使用されるブレードケースであり、（ａ）は平面図、（ｂ）はＡ−Ａ線断面図である。
【図２】実施形態１のブレードケースにおいて、収容部材と切断ブレードとを複数積層した状態を示す概略断面図である。
【図３】（ａ）〜（ｂ）は、実施形態２において使用されるブレードケースであり、（ａ）は平面図、（ｂ）はＢ−Ｂ線断面図である。
【図４】実施形態２のブレードケースにおいて、収容部材と切断ブレードとを複数積層した状態を示す概略断面図である。
【図５】（ａ）〜（ｂ）は、実施形態３において使用されるブレードケースであり、（ａ）は平面図、（ｂ）はＣ−Ｃ線断面図である。
【発明を実施するための形態】
【０００９】
以下、本発明に係る実施形態について、図面を参照して説明する。本出願書類におけるいずれの図についても、わかりやすくするために、適宜省略し又は誇張して模式的に描かれている。同一の構成要素については、同一の符号を付して説明を適宜省略する。
〔実施形態１〕
【００１０】
（ブレードケースの構成）
本発明に係る実施形態１のブレードケースの構成について、図１を参照して説明する。図１に示されるブレードケースは、例えば、切断装置で使用される切断ブレードなどを複数収容することが可能なブレードケースである。
【００１１】
図１（ｂ）に示されるように、ブレードケース１は、例えば、円形状の基台２と、基台２の中央部に設けられ垂直方向に延びる円柱状の柱部材３と、基台２に係合して複数の切断ブレードを収容した複数の収容部材を梱包するカバー部４とを備える。基台２の外周部には、基台２の表面から上方に突出する円環状の凸部５が設けられる。基台２の外周部に設けられた凸部５の内周面にカバー部４の外周面を嵌め込んで、基台２とカバー部４とを相対的に円周方向に回転させ、基台２の凸部５の内周面とカバー部４の外周面とを係合させることによって、カバー部４は基台２に固定される。基台２の凸部５の内周面とカバー部４の外周面とを係合させるには、回転して係合するように、例えば一方に溝部を他方に山部を形成しておけばよい。カバー部４の下部における外周面と基台２の凸部５の内周面とにそれぞれ嵌合する凹凸部を設け、凹凸部によって基台２とカバー部４とを嵌め合わせるようにしてもよい。
【００１２】
カバー部４は、ブレードケース１に収容された複数の切断ブレード又は複数の収容部材が見えるように透明又は半透明の樹脂を使用して作製することが好ましい。例えば、樹脂として透明なアクリル、ポリプロピレン又はポリスチレンなどを使用してカバー部４を作製することが好ましい。
【００１３】
ブレードケース１において、基台２の上には収容部材６と切断ブレード７とが交互に配置される。収容部材６は、切断ブレード７を１枚毎に収容する収容部材である。収容部材６は、平面視して円形状の形状を有する。収容部材６は、基台２に設けられた柱部材３に挿入される貫通穴８と切断ブレード７が載置されて収容される凹部９とを備える。収容部材６において、凹部９は円環状（ドーナツ状）に形成される。収容部材６の貫通穴８が柱部材３に挿入されることによって、収容部材６は基台２の上に載置される。柱部材３の外径に対して収容部材６の貫通穴８はやや大きく形成されているので、収容部材６は柱部材３に支持される。したがって、収容部材６は水平方向に動くことが抑制される。
【００１４】
切断ブレード７は、切断装置のスピンドルに取り付けられ高速回転することによって半導体ウェーハや封止済基板などを切断する回転刃である。切断ブレードには、円形の基台に円環状の砥石が一体成形されたハブブレードと、円環状の砥石のみで構成されるワッシャー形のブレードとがある。本実施形態においては、ハブブレードとワッシャー形のブレードとの双方の切断ブレードを使用することができる。
【００１５】
切断ブレード７は中央部に貫通穴１０を有する。切断ブレード７は、ダイヤモンドなどの砥粒を、金属、樹脂、セラミックなどの結合材で結合して円環状に作製される。切断ブレード７は機械的な衝撃によって破損しやすい。そのため、切断ブレード７を水平方向及び垂直方向に動かないようにブレードケース１に収容して保管することが重要となる。
【００１６】
切断ブレード７は、収容部材６に設けられた円環状の凹部９の上に載置される。切断ブレード７は収容部材６の円環状の凹部９に嵌め込まれるようにして、収容部材６の凹部９に収容される。言い換えれば、円環状の凹部９に形成された段差部に嵌め込まれるようにして、切断ブレード７は収容部材６の凹部９に収容される。したがって、切断ブレード７は収容部材６の円環状の凹部９に安定して保持されるので、水平方向に動くことが抑制される。
【００１７】
収容部材６の内周部には、例えば、収容部材６に収容された切断ブレード７を識別するための識別部１１が設けられる。識別部１１には、切断ブレード７を識別するために必要な情報を付与したラベル又は２次元コードを印刷したラベルなどが貼着される。例えば、切断ブレードの品種、製造番号、切断ブレードの厚さ、砥粒の粒径などの情報が、切断ブレードに対応して識別部１１に付与される。また、識別部１１を彩色することによって切断ブレード７の品種などが一目でわかるようにすることができる。収容部材６は、切断ブレード７が見えるように透明又は半透明のポリプロピレンなどで作製されることが好ましい。あるいは、収容部材６自体を半透明に彩色して作製してもよい。
【００１８】
（切断ブレードを収容する動作）
図１〜図２を参照して、ブレードケース１に複数の切断ブレード７を収容する動作について説明する。まず、図１（ｂ）に示されるように、１枚目の収容部材６（６ａ）の貫通穴８を基台２の柱部材３に挿入して、収容部材６（６ａ）を基台２の上に載置する。収容部材６（６ａ）の貫通孔８を柱部材３に挿入することによって、収容部材６（６ａ）は柱部材３に支持され収容部材６（６ａ）が水平方向に動くことが抑制される。
【００１９】
次に、切断ブレード７の貫通穴１０を柱部材３に通して、切断ブレード７を収容部材６（６ａ）の凹部９の上に載置する。切断ブレード７を収容部材６（６ａ）の凹部９に嵌め込むようにして収容する。切断ブレード７は円環状の凹部９に形成された段差部に嵌め込まれて凹部９に収容される。切断ブレード７が収容部材６（６ａ）の凹部９に嵌め込まれるので、切断ブレード７は収容部材６（６ａ）の凹部９に保持され水平方向に動くことが抑制される。したがって、切断ブレード７を収容部材６（６ａ）の凹部９に安定して収容することができる。
【００２０】
次に、２枚目の収容部材６（６ｂ）の貫通穴８を基台２の柱部材３に挿入して、切断ブレード７の上に収容部材６（６ｂ）を載置する。このことによって、切断ブレード７は、１枚目の収容部材６（６ａ）の凹部９における上部９ａと２枚目の収容部材６（６ｂ）の凹部９における下部９ｂとによって挟持される。切断ブレード７は収容部材６（６ａ）の円環状の凹部９に嵌め込むようにして収容され、１枚目の収容部材６（６ａ）の凹部９における上部９ａと２枚目の収容部材６（６ｂ）の凹部９における下部９ｂとで挟持されて保持される。これらのことにより、切断ブレード７は水平方向及び垂直方向共に動くことが抑制されて収容部材６の凹部９に保持される。したがって、収容部材６の凹部９に切断ブレード７を安定して収容することができる。
【００２１】
この動作を繰り返すことによって、切断ブレード７を下段の収容部材６の凹部９における上部９ａと上段の収容部材６の凹部９における下部９ｂとによって挟持した状態で、収容部材６を複数積層することができる。
【００２２】
図２に示されるように、基台２の柱部材３に収容部材６ａ、切断ブレード７ａ、収容部材６ｂ、切断ブレード７ｂ、・・・、収容部材６ｊ、切断ブレード７ｊ及び収容部材６ｋを順次挿入していく。このことによって、それぞれの切断ブレード７は下段の収容部材６の凹部９に嵌め込むようにして収容され、下段の収容部材６の凹部９における上部９ａと上段の収容部材６の凹部９における下部９ｂとによって挟持されて保持される。したがって、それぞれの切断ブレード７を下段の収容部材６の凹部９に安定して収容することができる。図２においては、例えば、１０枚の切断ブレード７ａ〜７ｊが順次収容部材６ａ〜６ｊの凹部９に収容されてブレードケース１に保管された状態を示している。これに限らず、さらに多くの切断ブレード７をブレードケース１に収容することができる。
【００２３】
図２において、最上段の収容部材６ｋの凹部９には切断ブレード７は収容されていない。最上段の収容部材６ｋは最上段よりも１つ下段の収容部材６ｊと共に、切断ブレード７ｊを挟持するために配置される。さらに、最上段の収容部材６ｋは切断ブレード７ｊを挟持すると共に、切断ブレード７ｊを外部から保護する蓋部の役割を有する。従来のように切断ブレードを収容する収容部と蓋部とをそれぞれ別々に作製する必要がない。収容部材６は収容部と蓋部との双方の役割を兼ねることができる。収容部材６を収容部及び蓋部を兼ねる共通部材として使用することができる。したがって、ブレードケース１のコストを低減することができる。
【００２４】
最上段の収容部材６ｋの内周部の上には、固定部として、例えば、Ｏリング１２が柱部材３に嵌められる。Ｏリング１２によって、積層された複数の収容部材６ａ〜６ｋ及び切断ブレード７ａ〜７ｊを安定して基台２に保持することができる。固定部として、Ｏリング１２に換えて蝶ナット又はクリップなどを使用してもよい。固定部は、収容部材６及び切断ブレード７を固定できるものであれば特に問わない。ブレードケース１に収容する収容部材６及び切断ブレード７の数は任意に設定することができる。
【００２５】
（作用効果）
本実施形態では、ブレードケース１は、切断ブレード７を収容する凹部９を有する収容部材６を複数備え、複数の収容部材６は、ひとつの収容部材６（６ａ）の凹部９における上部９ａと他の収容部材６（６ｂ）の凹部９における下部９ｂとの間に切断ブレード７を挟持して積層される構成としている。
【００２６】
このような構成とすることにより、ブレードケース１において、それぞれの収容部材６の凹部９に切断ブレード７を嵌め込むようにして収容する。さらに、下段の収容部材６（６ａ）の凹部９における上部９ａと上段の収容部材６（６ｂ）の凹部９における下部９ｂとで切断ブレード７を挟持する。切断ブレード７を下段の収容部材６の凹部に収容し、上段の収容部材６と下段の収容部材６とで切断ブレード７を挟持して保持した状態で切断ブレード７を複数積層することができる。
【００２７】
本実施形態によれば、切断ブレード７を収容部材６に設けられた円環状の凹部９の上に載置する。収容部材６の凹部９に切断ブレード７を嵌め込むようにして収容する。したがって、切断ブレード７は収容部材６の凹部９に保持され水平方向に動くことが抑制される。さらに、切断ブレード７は、下段の収容部材６（６ａ）の凹部９における上部９ａと上段の収容部材６（６ｂ）の凹部９における下部９ｂとによって挟持されて保持される。これらのことにより、切断ブレード７は水平方向及び垂直方向共に動くことが抑制されて収容部材６の凹部９に保持される。したがって、収容部材６の凹部９に切断ブレード７を安定して収容した状態で、収容部材６及び切断ブレード７を複数積層することができる。
【００２８】
本実施形態によれば、それぞれの収容部材６の凹部９に切断ブレード７を収容する。切断ブレード７を収容部材６の凹部９に保持した状態で、収容部材６を順次積層する。最上段の収容部材６は、切断ブレード７を収容しない状態で配置される。最上段の収容部材６は切断ブレード７を挟持すると共に、切断ブレード７を外部から保護する蓋部の役割を有する。したがって、収容部材６は収容部と蓋部との双方の役割を兼ねる。収容部材６を収容部及び蓋部を兼ねる共通部材として使用することができる。したがって、ブレードケース１のコストを低減することができる。
〔実施形態２〕
【００２９】
（ブレードケースの構成）
実施形態２のブレードケースの構成について、図３を参照して説明する。図３に示されるように、ブレードケース１３は、円形状の収容部材１４と、収容部材１４の周囲に設けられ収容部材１４の表面から上方に突出する円環状の凸部１５と、収容部材１４の最外周に設けられ収容部材１４の底面から下方に突出する円環状の凸部１６とを備える。
【００３０】
ブレードケース１３において、収容部材１４の表面側に形成された円環状の凸部１５の外周面１５ｏと収容部材１４の底面側に形成された円環状の凸部１６の内周面１６ｉとが一致するように収容部材１４は設けられる。収容部材１４と円環状の凸部１５とによって囲まれる凹部１７が収容部材１４の表面側に形成される。収容部材１４と円環状の凸部１６とによって囲まれる凹部１８が収容部材１４の底面側に形成される。収容部材１４の表面側に形成された凹部１７が、切断ブレード７を収容する収容部となる。上下に重ねた２つの収容部材１４を相対的に円周方向に回転させて係合させるように、例えば凸部１５の外周面１５ｏと凸部１６の内周面１６ｉとの一方に溝部を他方に山部を形成しておいてもよい。
【００３１】
収容部材１４の中央部には、切断ブレード７を保持するために円形状の突起部１９が設けられる。切断ブレード７の貫通孔１０が突起部１９に挿入されることによって、切断ブレード７は凹部１７に載置される。突起部１９の直径に対して切断ブレード７の貫通孔１０はやや大きく形成されている。したがって、切断ブレード７は突起部１９に支持され水平方向に動くことが抑制される。このことにより、切断ブレード７の刃先が円環状の凸部１５の内壁にぶつかって破損することを抑制することができる。
【００３２】
収容部材１４の底面側に形成された円環状の凸部１６の外周面には、凹部１７に収容された切断ブレード７を識別するための識別部２０が設けられる。実施形態１と同様に、識別部２０には、切断ブレード７を識別するために必要な情報が付与される。また、識別部２０を彩色することによって切断ブレード７の品種などが一目でわかるようにすることができる。あるいは、収容部材１４自体を彩色するようにしてもよい。
【００３３】
（切断ブレードを収容する動作）
図３〜図４を参照して、収容部材１４に切断ブレード７を収容して収容部材１４を積層する動作について説明する。まず、図３（ｂ）に示されるように、収容部材１４において、突起部１９に切断ブレード７の貫通孔１０を挿入する。切断ブレード７の貫通孔１０が突起部１９に挿入されることによって、切断ブレード７は収容部材１４の凹部１７の上に載置される。切断ブレード７は突起部１９に支持され、収容部材１４の凹部１７に保持される。したがって、切断ブレード７が水平方向に動くことが抑制される。
【００３４】
次に、切断ブレード７が保持された収容部材１４（１４ａ）の上に、収容部材１４（１４ｂ）を積層する。収容部材１４（１４ａ）が有する円環状の凸部１５の外周面１５ｏに、収容部材１４（１４ｂ）が有する円環状の凸部１６の内周面１６ｉを嵌め込む。言い換えれば、収容部材１４（１４ａ）が有する円環状の凸部１５の外周面１５ｏに、収容部材１４（１４ｂ）が有する凹部１８を嵌め込む。収容部材１４の表面側に形成された円環状の凸部１５と収容部材１４の底面側に形成された凹部１８とは、凹凸形状の嵌め合わせ部を構成する。したがって、収容部材１４の表面側に形成された円環状の凸部１５に収容部材１４の底面側に形成された凹部１８を嵌め込むことによって、収容部材１４を順次積層することができる。
【００３５】
収容部材１４（１４ａ）が有する円環状の凸部１５に、収容部材１４（１４ｂ）が有する凹部１８を嵌め込むことによって、切断ブレード７は収容部材１４（１４ａ）の凹部１７における上部１７ａと収容部材１４（１４ｂ）の凹部１７における下部１７ｂとによって挟持される。切断ブレード７を収容部材１４（１４ａ）と収容部材１４（１４ｂ）とで挟持することによって、切断ブレード７が垂直方向に動くことが抑制される。
【００３６】
切断ブレード７は、収容部材１４（１４ａ）の凹部１７の突起部１９に支持される。さらに、切断ブレード７は収容部材１４（１４ａ）の凹部１７における上部１７ａと収容部材１４（１４ｂ）の凹部１７における下部１７ｂとによって挟持される。これらのことにより、切断ブレード７は水平方向及び垂直方向共に動くことが抑制されて収容部材１４（１４ａ）の凹部１７に保持される。したがって、収容部材１４の凹部１７に切断ブレード７を安定して収容することができる。なお、本実施形態においては、収容部材１４自体が切断ブレード７を収容するブレードケース１３として機能する。
【００３７】
この動作を繰り返すことによって、切断ブレード７を下段の収容部材１４の凹部１７における上部１７ａと上段の収容部材１４の凹部１７における下部１７ｂとによって挟持した状態で収容部材１４を複数積層することができる。
【００３８】
図４に示されるように、収容部材１４ａ、切断ブレード７ａ、収容部材１４ｂ、切断ブレード７ｂ、・・・、収容部材１４ｊ、切断ブレード７ｊ及び収容部材１４ｋを順次積層していく。このことによって、それぞれの切断ブレード７は下段の収容部材１４の凹部１７に収容され、下段の収容部材１４の凹部１７における上部１７ａと上段の収容部材１４の凹部１７における下部１７ｂとによって挟持されて保持される。したがって、それぞれの切断ブレード７を下段の収容部材１４の凹部１７に安定して収容することができる。図４においては、１０枚の切断ブレード７ａ〜７ｊが順次収容部材１４ａ〜１４ｊに収容されて積層された状態を示している。これに限らず、さらに多くの切断ブレード７を収容部材１４に収容した状態で積層することができる。
【００３９】
図４において、最上段の収容部材１４ｋの凹部１７には切断ブレード７は収容されていない。最上段の収容部材１４ｋは最上段よりも１つ下段の収容部材１４ｊと共に、切断ブレード７ｊを挟持するために配置される。さらに、最上段の収容部材１４ｋは切断ブレード７ｊを挟持すると共に、切断ブレード７ｊを外部から保護する蓋部の役割を有する。したがって、収容部材１４は収容部と蓋部との双方の役割を兼ねる。収容部材１４を収容部及び蓋部を兼ねる共通部材として使用することができる。したがって、収容部材１４（ブレードケース１３）のコストを低減することができる。
【００４０】
（作用効果）
本実施形態では、ブレードケース１３は、切断ブレード７を収容する凹部１７を有する収容部材１４を複数備え、複数の収容部材１４は、ひとつの収容部材１４（１４ａ）の凹部１７における上部１７ａと他の収容部材１４（１４ｂ）の凹部１７における下部１７ｂとの間に切断ブレード７を挟持して積層される構成としている。
【００４１】
このような構成とすることにより、ブレードケース１３において、収容部材１４（１４ａ）の凹部１７に設けられた突起部１９に切断ブレード７を支持する。さらに、下段の収容部材１４（１４ａ）の凹部１７における上部１７ａと上段の収容部材１４（１４ｂ）の凹部１７における下部１７ｂとで切断ブレード７を挟持する。切断ブレード７を下段の収容部材１４の突起部１９に支持し、上段の収容部材１４と下段の収容部材１４とで挟持して保持した状態で切断ブレード７を複数積層することができる。
【００４２】
本実施形態によれば、収容部材１４の突起部１９に切断ブレード７の貫通孔１０を挿入する。したがって、切断ブレード７は収容部材１４の突起部１９に支持され水平方向に動くことが抑制される。さらに、切断ブレード７は、下段の収容部材１４（１４ａ）の凹部１７における上部１７ａと上段の収容部材１４の凹部１７における下部１７ｂとによって挟持されて保持される。これらのことによって、切断ブレード７は水平方向及び垂直方向共に動くことが抑制されて収容部材１４の凹部１７に保持される。したがって、収容部材１４（ブレードケース１３）に切断ブレード７を安定して収容した状態で、収容部材１４を複数積層することができる。
【００４３】
本実施形態によれば、それぞれの収容部材１４の凹部１７に切断ブレード７を収容する。切断ブレード７を収容部材１４の凹部１７に保持した状態で、収容部材１４を順次積層する。最上段の収容部材１４は、切断ブレード７を収容しない状態で配置される。最上段の収容部材１４は切断ブレード７を挟持すると共に、切断ブレード７を外部から保護する蓋部の役割を有する。収容部材１４は収容部と蓋部との双方の役割を兼ねる。収容部材１４を収容部及び蓋部を兼ねる共通部材として使用することができる。したがって、収容部材１４（ブレードケース１３）のコストを低減することができる。
【００４４】
本実施形態においては、収容部材１４が有する円環状の凸部１５に、収容部材１４が有する凹部１８を嵌め込むことによって、収容部材１４を順次積層した。これに限らず、収容部材１４が有する凸部１５を雄ねじ構造にし、収容部材１４が有する凹部１８を雌ねじ構造にして、収容部材１４の上に他の収容部材１４を螺合させることによって収容部材１４を積層することができる。
【００４５】
本実施形態においては、収容部材１４が有する円環状の凸部１５の高さ、突起部１９の高さ及び切断ブレード７の厚さがほぼ同等である場合を示した。したがって、切断ブレード７を、下段の収容部材１４（１４ａ）の凹部１７における上部１７ａと上段の収容部材１４の凹部１７における下部１７ｂとによって挟持した。これに限らず、切断ブレード７の厚さが円環状の凸部１５の高さより小さい場合には、上段の収容部材１４の凹部１７における下部１７ｂに緩衝材又は弾性部材などからなる突起部を設けることができる。このことにより、切断ブレード７を、下段の収容部材１４（１４ａ）の凹部１７における上部１７ａと上段の収容部材１４の凹部１７における下部１７ｂに設けられた突起部とによって挟持することができる。この場合も、切断ブレード７を収容部材１４の凹部１７に安定して保持することができる。
〔実施形態３〕
【００４６】
実施形態３のブレードケースの構成について、図５を参照して説明する。図５に示されるように、ブレードケース２１は、矩形（正方形）状の収容部材２２と、収容部材２２の周囲に設けられ収容部材２２の表面から上方に突出する枠状の凸部２３と、収容部材２２の最外周に設けられ収容部材２２の底面から下方に突出する枠状の凸部２４とを備える。
【００４７】
ブレードケース２１において、収容部材２２の表面側に形成された枠状の凸部２３の外周面２３ｏと収容部材２２の底面側に形成された枠状の凸部２４の内周面２４ｉとが一致するように収容部材２２は設けられる。収容部材２２と枠状の凸部２３とによって囲まれる矩形（正方形）状の凹部２５が収容部材２２の表面側に形成される。収容部材２２と枠状の凸部２４とによって囲まれる矩形（正方形）状の凹部２６が収容部材２２の底面側に形成される。収容部材２２の表面側に形成された矩形（正方形）状の凹部２５が、切断ブレード７を収容する収容部となる。
【００４８】
収容部材２２の中央部には、切断ブレード７を保持するために円形状の突起部２７が設けられる。切断ブレード７の貫通孔１０が突起部２７に挿入されることによって、切断ブレード７は凹部２５に載置される。切断ブレード７は突起部２７に支持され、水平方向に動くことが抑制される。したがって、切断ブレード７の刃先が、枠状の凸部２３の内壁にぶつかって破損することを抑制することができる。
【００４９】
収容部材２２の底面側に形成された枠状の凸部２４の外周面には、凹部２５に収容された切断ブレード７を識別するための識別部２８が設けられる。実施形態１、２と同様に、識別部２８には、切断ブレード７を識別するために必要な情報が付与される。また、識別部２８又は収容部材２２自体を彩色することによって切断ブレード７の品種などが一目でわかるようにしてもよい。
【００５０】
本実施形態において、収容部材２２（ブレードケース２１）に切断ブレード７を収容して収容部材２２を複数積層する動作及び作用効果については、実施形態２と同様なので説明を省略する。
【００５１】
本実施形態においては、収容部材２２（ブレードケース２１）が矩形（正方形）状に形成される。このことにより、多数の収容部材２２を積層して箱などに梱包する際に、収容部材２２を整列して梱包することができる。したがって、収容部材２２が流通する過程においても、多数の収容部材２２を安定して配送することができる。
【００５２】
各実施形態においては、切断ブレードを識別するための識別部を各収容部材にそれぞれ設けた場合を示した。これに限らず、識別部を少なくとも１つの収容部材に設けてもよい。例えば、最上段に配置される収容部材にのみ識別部を設けてもよい。最上段に配置される収容部材には切断ブレードが収容されないので、収容部材全体に識別部を設けることができる。したがって、より多くの情報を識別部に付与することができる。この場合には、最上段に設けた識別部の情報がブレードケースに収容されるすべての切断ブレードに共通する情報となる。
【００５３】
各実施形態においては、切断装置において使用される切断ブレードを収容するブレードケースについて説明した。これに限らず、貫通穴を有する研削砥石などの回転体についても本発明を適用できる。
【００５４】
各実施形態において、収容部材の切断ブレードとの接触部となる収容部材の上部及び下部の少なくもいずれか一方に、切断ブレードと接触する突起部を設けても良い。その突起部の形状としては、例えば円環状、円弧状、直線状、点状とすることができる。
【００５５】
以上のように、上記実施形態のブレードケースは、切断ブレードを収容する凹部を有する収容部材を複数備え、複数の収容部材は、ひとつの収容部材の凹部における上部と他の収容部材の凹部における下部との間に切断ブレードを挟持して積層される構成としている。
【００５６】
この構成によれば、ブレードケースにおいて、複数の収容部材にそれぞれ切断ブレードを収容し、下段の収容部材の凹部における上部と上段の収容部材の凹部における下部とでブレードケースを挟持する。したがって、切断ブレードを上下の収容部材で安定に保持した状態で切断ブレードと収容部材とを複数積層することができる。したがって、単一のケース構成であっても複数の切断ブレードを収容することが可能となる。
【００５７】
さらに、上記実施形態のブレードケースは、収容部材の少なくとも１つに識別部を備える構成としている。
【００５８】
この構成によれば、収容部材に収容された切断ブレードの情報を識別部に付与することができる。したがって、切断ブレードの管理を容易にすることができる。識別部に付与する情報は、追跡可能なトレーザビリティ関連データとして切断ブレードにより切断した製品に関連付けて利用してもよい。
【００５９】
さらに、上記実施形態のブレードケースは、切断ブレードを収容しない収容部材を最上段に配置し、最上段よりも１つ下段に収容する切断ブレードを挟持する構成としている。
【００６０】
この構成によれば、収容部材は収容部と蓋部との双方の役割を兼ねるので、収容部材を共通部材として使用することができる。したがって、ブレードケースのコストを低減することができる。
【００６１】
さらに、上記実施形態のブレードケースは、収容部材を支持する基台と、基台中央部に垂直方向に延びる柱部材とを備える構成としている。
【００６２】
この構成によれば、収容部材と切断ブレードとを柱部材に順次挿入することができる。したがって、切断ブレードを収容した収容部材を柱部材に複数積層することができる。
【００６３】
さらに、上記実施形態のブレードケースは、柱部材に沿って昇降し、着脱可能な固定部を備える構成としている。
【００６４】
この構成によれば、切断ブレードを収容した収容部材を柱部材に複数積層することができ、固定部によって積層した収容部材を安定して保持することができる。
【００６５】
さらに、上記実施形態のブレードケースは、収容部材を梱包し、基台に係合するカバー部を備える構成としている。
【００６６】
この構成によれば、基台の上に複数積層された収容部材をカバー部で蓋をすることにより外部から保護することができる。
【００６７】
さらに、上記実施形態のブレードケースは、収容部材の凹部以外に形成される凹凸形状の嵌め合わせ部を備える構成としている。
【００６８】
この構成によれば、収容部材に嵌め合わせ可能な凹凸形状を設けることによって、収容部材を順次嵌め合わせて積層することができる。
【００６９】
さらに、上記実施形態のブレードケースは、収容部材中央部に突起部を備える構成としている。
【００７０】
この構成によれば、切断ブレードは突起部に支持され、収容部材に安定して収容することができる。
【００７１】
本発明は、上述した各実施形態に限定されるものではなく、本発明の趣旨を逸脱しない範囲内で、必要に応じて、任意にかつ適宜に組み合わせ、変更し、又は選択して採用できるものである。
【符号の説明】
【００７２】
１、１３、２１  ブレードケース
２    基台
３    柱部材
４    カバー部
５    凸部
６、６ａ、６ｂ、・・・、６ｊ、６ｋ  収容部材
７、７ａ、７ｂ、・・・、７ｊ  切断ブレード
８    貫通穴
９、１７、２５  凹部
９ａ、１７ａ、２５ａ  上部
９ｂ、１７ｂ、２５ｂ  下部
１０  貫通穴
１１、２０、２８  識別部
１２  Ｏリング（固定部）
１４、１４ａ、１４ｂ、・・・、１４ｊ、１４ｋ  収容部材
１５、２３  凸部（嵌め合わせ部）
１５ｏ、２３ｏ  外周面
１６、２４  凸部
１６ｉ、２４ｉ  内周面
１８、２６  凹部（嵌め合わせ部）
１９、２７  突起部
２２、２２ａ、２２ｂ  収容部材
【図１】
2018024434.tif 000003
【図２】
2018024434.tif 000004
【図３】
2018024434.tif 000005
【図４】
2018024434.tif 000006
【図５】
2018024434.tif 000007